(57)【要約】【課題】  記録された画像データを、ユーザの希望する用途で、ユーザの希望するタイミングで利用することのできる端末装置を提供する。【解決手段】  携帯電話機は、第１の筐体１２０と第２の筐体からなり、第１の筐体１２０には、表示部１５０が備えられる。テレビ電話の通話中にカメラキーが操作され、その状態でシャッタキーが操作されると、表示部１５０には、テレビ電話の画面を表示するメイン画面１５０Ａと電子メールを作成するための画面であるメール作成用画面１５０Ｘとが表示される。つまり、テレビ電話の通話中にカメラキーが操作され、その状態でシャッタキーが操作されると、撮影された画像についての画像データがデフォルトとして添付ファイルとされた電子メールが作成可能な状態とされる。そして、さらに、テレビ電話の通話中に、電子メールを作成し、送信することもできる。【選択図】        図８
2005184366.tif 000002
【特許請求の範囲】
【請求項１】
通信回線を介して、相手端末との間で音声通信および画像通信を同時に行なうことによりテレビ電話による通話を行なうテレビ電話通信手段と、
画像を撮影することにより画像データを生成する画像データ生成手段と、
外部から操作されることにより外部からの情報の入力を受付ける入力手段と、
電子メールの送受信を行なう電子メール送受信手段と、
前記入力手段に入力された情報に基づいて、前記電子メール送受信手段によって送信される電子メールデータを作成する電子メールデータ作成手段とを備え、
前記電子メールデータ作成手段は、前記テレビ電話通信手段によってテレビ電話による通話が確立されているときに前記画像データ生成手段によって画像データが生成された場合、前記テレビ電話による通話が確立されたままの状態で、前記テレビ電話による通話が確立されているときに生成された画像データを添付された状態の電子メールデータを作成可能な状態となり、
前記電子メール送受信手段は、前記テレビ電話による通話が確立されているときに作成された電子メールデータを、前記テレビ電話による通話が確立されたままの状態で送信する、端末装置。
【請求項２】
情報を表示する表示手段と、
前記表示手段の表示態様を制御する表示制御手段とをさらに備え、
前記表示制御手段は、
前記テレビ電話による通話が確立されている状態では、前記表示手段に、前記テレビ電話通信手段による前記相手端末との画像通信によって受信された画像データである受信画像データを表示させ、
前記電子メールデータ作成手段による電子メールデータの作成の際には、前記表示手段に、電子メールデータを作成するための画面であるメール作成画面を表示させ、かつ、
前記テレビ電話通信手段が前記テレビ電話による通話が確立されている状態で前記電子メールデータ作成手段が電子メールデータを作成可能な状態となった場合には、前記表示手段に、前記受信画像データと前記メール作成画面を、双方が同時に視認可能な状態で表示させる、請求項１に記載の端末装置。
【請求項３】
前記電子メールデータ作成手段は、前記テレビ電話通信手段がテレビ電話による通話が確立されている間に、前記画像データ生成手段によって画像データが生成されたとき、前記入力手段によって所定の情報が入力されたことを条件として、前記テレビ電話による通話が確立されたままの状態で、前記テレビ電話による通話が確立されているときに生成された画像データを添付された状態の電子メールデータを作成可能な状態となる、請求項１または請求項２に記載の端末装置。
【請求項４】
前記メールデータ作成手段は、前記テレビ電話による通話が可能な間に生成された画像データを添付された状態の電子メールデータの、宛て先のデフォルト値を、前記テレビ電話通信手段によるテレビ電話の通話の相手端末とする、請求項１〜請求項３のいずれかに端末装置。
【発明の詳細な説明】
【技術分野】
【０００１】
本発明は、端末装置に関し、特に、通信機能および画像データを記録する機能を有する端末装置に関するものである。
【背景技術】
【０００２】
近年の技術の進歩により、端末装置においてカメラ等の画像データを記録する手段が備えられるようになっている。そして、従来から、端末装置において記録された画像データの取扱いについての種々の技術が開示されている。
【０００３】
たとえば、特許文献１では、端末装置において撮影された複数枚の画像からなる画像系列の中から、ユーザが指定方向を向いていると判定された時点間に対応する画像系列が選択され、当該選択された画像系列を含むメディアを編集に用いる技術が開示されている。
【特許文献１】特開２００２−１７６６１９号公報
【発明の開示】
【発明が解決しようとする課題】
【０００４】
なお、従来では、上記した画像データの利用に際しての利便性を考慮されたような技術に加えて、記録された画像データを、ユーザの希望する用途で、ユーザの希望するタイミングで利用することについての要望があった。特に、通信の高速化が図られている現代では、ユーザの希望するタイミングでのデータの取扱いが可能となることは、有益なことである。
【０００５】
本発明は、かかる実情に鑑み考え出されたものであり、その目的は、記録された画像データを、ユーザの希望する用途で、ユーザの希望するタイミングで利用することのできる端末装置を提供することである。
【課題を解決するための手段】
【０００６】
本発明に従った端末装置は、通信回線を介して、相手端末との間で音声通信および画像通信を同時に行なうことによりテレビ電話による通話を行なうテレビ電話通信手段と、画像を撮影することにより画像データを生成する画像データ生成手段と、外部から操作されることにより外部からの情報の入力を受付ける入力手段と、電子メールの送受信を行なう電子メール送受信手段と、前記入力手段に入力された情報に基づいて、前記電子メール送受信手段によって送信される電子メールデータを作成する電子メールデータ作成手段とを備え、前記電子メールデータ作成手段は、前記テレビ電話通信手段によってテレビ電話による通話が確立されているときに前記画像データ生成手段によって画像データが生成された場合、前記テレビ電話による通話が確立されたままの状態で、前記テレビ電話による通話が確立されているときに生成された画像データを添付された状態の電子メールデータを作成可能な状態となり、前記電子メール送受信手段は、前記テレビ電話による通話が確立されているときに作成された電子メールデータを、前記テレビ電話による通話が確立されたままの状態で送信することを特徴とする。
【０００７】
また、本発明に従った端末装置は、情報を表示する表示手段と、前記表示手段の表示態様を制御する表示制御手段とをさらに備え、前記表示制御手段は、前記テレビ電話による通話が確立されている状態では、前記表示手段に、前記テレビ電話通信手段による前記相手端末との画像通信によって受信された画像データである受信画像データを表示させ、前記電子メールデータ作成手段による電子メールデータの作成の際には、前記表示手段に、電子メールデータを作成するための画面であるメール作成画面を表示させ、かつ、前記テレビ電話通信手段が前記テレビ電話による通話が確立されている状態で前記電子メールデータ作成手段が電子メールデータを作成可能な状態となった場合には、前記表示手段に、前記受信画像データと前記メール作成画面を、双方が同時に視認可能な状態で表示させることが好ましい。
【０００８】
また、本発明に従った端末装置では、前記電子メールデータ作成手段は、前記テレビ電話通信手段がテレビ電話による通話が確立されている間に、前記画像データ生成手段によって画像データが生成されたとき、前記入力手段によって所定の情報が入力されたことを条件として、前記テレビ電話による通話が確立されたままの状態で、前記テレビ電話による通話が確立されているときに生成された画像データを添付された状態の電子メールデータを作成可能な状態となることが好ましい。
【０００９】
また、本発明に従った端末装置では、前記メールデータ作成手段は、前記テレビ電話による通話が可能な間に生成された画像データを添付された状態の電子メールデータの、宛て先のデフォルト値を、前記テレビ電話通信手段によるテレビ電話の通話の相手端末とすることが好ましい。
【発明の効果】
【００１０】
本発明によると、ユーザは、端末装置を用いることにより、テレビ電話で通話をしながら、画像データ生成手段によって画像を撮影することができ、また、テレビ電話による通話が確立されたままの状態で、画像の撮影によって生成された画像データを添付された状態の電子メールのデータを作成し、かつ、送信することができる。したがって、ユーザが、たとえばテレビ電話での通話中に、通話相手に、自分が撮影した画像を参照させることを希望した場合、その希望が、テレビ電話での通話中に、満足されることになる。また、ユーザは、テレビ電話の通話中に、通話相手以外の相手に対して電子メールを送信することができる。
【００１１】
また、本発明によると、ユーザがテレビ電話での通話中に電子メールのデータを作成する際、テレビ電話のための画像通信に基づいて表示される画面と電子メールデータの作成用の画面とが、双方同時に視認可能な状態で表示される。したがって、ユーザは、テレビ電話での通話中に電子メールデータを作成する場合、テレビ電話での通話か電子メールデータの作成の一方の情報を視認できなくなるという事態を回避できる。
【００１２】
また、本発明によると、端末装置において、ユーザがテレビ電話での通話中に画像を撮影した場合、入力手段による所定の情報の入力が、電子メールデータの作成のための条件とされる。したがって、ユーザは、誤って画像を撮影した場合や、撮影した画像が電子メールで送信するには気に入らなかった場合には、入力手段による所定の情報の入力を行なわないことにより、端末装置に電子メールデータの作成のための動作を実行させないでおくことができる。
【００１３】
また、本発明によると、テレビ電話での通話中に画像を撮影した場合、当該画像を添付された電子メールの送信先のデフォルト値がテレビ電話の通話中の相手とされる。したがって、ユーザが、テレビ電話での通話中に、通話相手に自分が撮影した画像を参照させることを希望した場合、電子メールデータ作成のために必要とされる操作を極力少なくすることができる。
【発明を実施するための最良の形態】
【００１４】
以下、図面を参照しつつ、本発明の端末装置の一実施の形態であるカメラ付携帯電話機（以下、携帯電話機と略す）について説明する。なお、以下の説明では、同一の部品には、特記された場合を除き、同一の符号が付され、それらの名称および機能も同じである。したがって、それらについての詳細な説明は繰り返さない。
【００１５】
図１には、携帯電話機１００の外観が示され、図２には、携帯電話機１００のブロック構成が示されている。図１および図２を参照して、携帯電話機１００の概略構成について説明する。
【００１６】
携帯電話機１００では、第１の筐体１２０と第２の筐体１２２とが、ヒンジ１２４を介して連結され、ヒンジ１２４を軸として互いに角変位自在に動くことにより折り畳み可能に構成されている。これにより、携帯電話機１００は、第１の筐体１２０と第２の筐体１２２とが図１（Ａ）または図１（Ｂ）に示された状態から折り畳まれる状態になることが可能になるように、構成されている。そして、図１（Ａ）は折り畳まれた際の内側となる面を主に示す図であり、図１（Ｂ）は、折り畳まれた際に外側となる面を主に示す図である。
【００１７】
第１の筐体１２０の外側の面には、被写体を撮影して画像データを出力するメインカメラ１０４、および、液晶表示装置などからなる表示部１５０２が備えられている。
【００１８】
第１の筐体１２０の内側の面には、被写体を撮影して画像データを出力するサブカメラ１０２、液晶表示装置などからなる表示部１５０、および、携帯電話機１００における通話時に使用されるスピーカ１２６が備えられている。
【００１９】
第２の筐体１２２の外側の面には、着信音等を鳴らすためのスピーカ１２８が備えられている。
【００２０】
第２の筐体１２２の内側の面には、メインカメラ１０４またはサブカメラ１０２を起動させるために操作されるカメラキー１８３、メインカメラ１０４またはサブカメラ１０２によるシャッタ動作および撮影して得られた画像データの保存動作のために操作されるシャッタキー１８９、表示部１５０に表示された内容に対して指示を入力する左オプションキー１８１，右オプションキー１８２、電話番号や文字（数字を含む）を入力するために操作される複数のボタンからなるダイヤルキー１８８、および、ユーザが携帯電話機１００に対する操作のために適宜操作されるマルチキー１８４〜１８７が備えられている。なお、キーの種類および配置はこれに限定されない。例えば、表示部１５０に表示される操作メニューの中から操作すべき項目を選択するようにしてもよい。
【００２１】
図２に、携帯電話機１００の制御ブロック図を示す。図２を参照して、携帯電話機１００には、当該携帯電話機１００の各部を制御するために、ＣＰＵ（Central Processing Unit）などのマイクロプロセッサを含む制御部２が備えられている。制御部２は、携帯電話機１００の制御に用いるための各種プログラムデータ等を記録するためのメモリ２１を備えている。また、制御部２には、メインカメラ１０４、サブカメラ１０２、ＲＡＭ（Random Access Memory）からなる作業用メモリ４、圧縮処理部２０を有し画像データを圧縮処理部２０でエンコード（圧縮)して保存処理するための保存処理部５、フラッシュメモリからなる保存用メモリ７、ＲＡＭからなる表示用メモリ８、表示ドライバ部９、スピーカ１２６，１２８、左オプションキー１８１、右オプションキー１８２、シャッタキー１８９、ダイヤルキー１８８、マルチキー１８４〜１８７、カメラキー１８３、アンテナ１５を介した通信のための通信制御部１３、および、無線部１４が接続される。表示部１５０，１５２は、それぞれ、表示ドライバ部９を介して、制御部２に接続される。
【００２２】
携帯電話機１００は、周知の携帯電話機と同様に、通話機能、メール機能、Ｗｅｂ接続機能（コンピュータ等のネットワークへの接続機能）、および、電話帳機能を有している。電話帳機能では、たとえば、人物等の名前、電話番号、メールアドレス、ＵＲＬ（Uniform Resource Locator）、画像を含む種々のデータを、それぞれの人物等について互いに関連付けて、保存用メモリ７に記憶させることができる。また、携帯電話機１００は、メインカメラ１０４およびサブカメラ１０２において撮影された画像の画像データを保存するカメラ機能を有している。メインカメラ１０４およびサブカメラ１０２において撮影された画像の画像データは、作業用メモリ４に一旦保存され、そして、圧縮処理部２０でエンコードされて保存用メモリ７に保存される。
【００２３】
通信制御部１３は、無線部１４およびアンテナ１５を介して、他の装置との間で、音声通信および画像通信を同時に行なうことができる。これにより、携帯電話機１００は、同一の通信相手と画像および音声を同時に通信することにより、いわゆるテレビ電話による通話が可能となっている。
【００２４】
次に、携帯電話機１００の実行する動作を、制御部２の動作内容に基づいて説明する。なお、本実施の携帯電話機１００は、テレビ電話による通話の際の動作に特徴を有するため、以下の説明は、当該動作を中心に記載される。
【００２５】
図３は、制御部２の実行するメインルーチンのフローチャートである。制御部２は、電源を投入されると、初期画面の表示等を行なった後、Ｓ１で、ユーザからの、各種キー等に対する操作の有無およびその内容をチェックする。そして、ユーザからの操作があった場合、当該操作がテレビ電話による通話のための操作であると判断するとＳ２へ、それ以外の動作のための操作であると判断するとＳ３へ、それぞれ処理を進める。
【００２６】
制御部２は、Ｓ２では、テレビ電話による通話のための処理であるテレビ電話処理を実行した後、Ｓ１に処理を戻す。テレビ電話処理の内容の詳細については後述する。
【００２７】
一方Ｓ３では、制御部２は、操作内容に応じた処理を実行した後、Ｓ１に処理を戻す。
【００２８】
図４および図５は、図３のＳ２におけるテレビ電話処理のサブルーチンのフローチャートである。
【００２９】
テレビ電話処理では、制御部２は、まずＳ２０１で、ユーザから入力された相手端末を指定する情報に基づいて、当該相手端末との接続を確立させるための処理を実行する。なお、本実施の形態では、テレビ電話による通話が確立された状態とは、テレビ電話処理において相手端末との接続が確立されている状態を言う。
【００３０】
そして、制御部２は、Ｓ２０２で、接続が確立したか否かを判断し、接続が確立したと判断するとＳ２０３へ処理を進め、接続が確立できなかったと判断するとそのままリターンする。
【００３１】
Ｓ２０３では、制御部２は、表示部１５０に、テレビ電話の画面を表示させる。テレビ電話の画面とは、たとえば、テレビ電話による通話に際して相手端末から送信されてくる画像情報を表示させる画面である。なお、制御部２は、Ｓ２０３以降の処理と並行して、ユーザによる相手端末との接続を終了するためのキー操作がなされる等、相手端末との接続を終了させるべきときまで、テレビ電話のために、相手端末との間で、通信制御部１３，無線部１４，アンテナ１５を介して、音声情報と画像情報の通信を同時に継続して行なう。また、本明細書では、相手端末との接続を終了させるべきときについての詳細は行なっていない。携帯電話機１において、相手端末との接続を終了させるべき操作等がなされた場合には、以下に説明する処理に対する割込み処理として、相手端末との間の音声通信および画像通信が終了する処理がなされるものとする。
【００３２】
次に、制御部２は、Ｓ２０４で、カメラキー１８３が操作されたか否かを判断し、操作されたと判断するとＳ２０５に処理を進める。
【００３３】
Ｓ２０５では、制御部２は、表示部１５０に、たとえば図６に示すように、メイン画面とサブ画面という２つの画面を表示させ、メイン画面内にテレビ電話の画面を、サブ画面内にメインカメラ１０４が撮影する画像を、それぞれ表示させる。なお、携帯電話機１００では、制御部２は、テレビ電話による通話の際、サブカメラ１０２の撮影した画像の画像データを作成して相手端末に送信する。そして、メインカメラ１０４は、テレビ電話による通話の最中にカメラキー１８３が操作されることを条件として、その撮影する画像の画像データが生成され、当該画像データが表示部１５０で表示される。
【００３４】
図６には、第１の筐体１２０の斜視図が示されている。表示部１５０内には、表示部１５０のほぼ全域に渡ってメイン画面１５０Ａが表示され、表示部１５０の左下方にサブ画面１５０Ｂが表示されている。
【００３５】
次に、制御部２は、Ｓ２０６で、携帯電話機１００に対して画面表示を入替えるための操作がなされたか否かを判断する。画像表示を入替えるための操作とは、マルチキー１８４〜１８７等、所定のキーに対する操作であっても良いし、表示部１５０自体に対するタッチ等の操作であっても良い。そして、制御部２は、そのような操作があったと判断するとＳ２０７へ、そのような操作がなかったと判断するとＳ２０８に、それぞれ処理を進める。
【００３６】
Ｓ２０７では、制御部２は、表示部１５０において、メイン画面とサブ画面との間で表示内容を入替えさせて、Ｓ２０８に処理を進める。たとえば、その時点で、図６に示したように、メイン画面１５０Ａにテレビ電話の画像が表示されサブ画面１５０Ｂにメインカメラ１０４の撮影した画像が表示されている場合には、Ｓ２０７の処理により、図７に示したように、メイン画面１５０Ａにメインカメラ１０４の撮影した画像を表示させ、サブ画面１５０Ｂにテレビ電話の画像を表示させるようにする。
【００３７】
Ｓ２０８では、制御部２は、シャッタキー１８９が操作されたか否かを判断し、操作されたと判断するとＳ２０９へ処理を進め、操作されていないと判断するとＳ２０６に処理を戻す。
【００３８】
Ｓ２０９では、制御部２は、シャッタキー１８９が予め定められた時間（図５では「Ｘ秒」と記載）以上継続して操作されたか否かを判断し、そうであればＳ２１０へ、そうでなければＳ２１１へ、それぞれ処理を進める。
【００３９】
Ｓ２１０では、制御部２は、シャッタキー１８９が継続して操作されている間中にメインカメラ１０４が撮影した画像（動画）に基づいて画像データを生成し、当該画像データを保存用メモリ７に記録してＳ２１２に処理を進める。なお、携帯電話機１００は、Ｓ２１０における動画の録画時間を、予め定められた上限時間を上限とされるよう、構成されても良い。
【００４０】
Ｓ２１１では、制御部２は、シャッタキー１８９が操作された時点でメインカメラ１０４が撮影した画像に基づいて画像データを生成し、当該画像データを保存用メモリ７に記録して、Ｓ２１２に処理を進める。
【００４１】
Ｓ２１２では、制御部２は、メモリ２１に記憶された電子メール作成用のソフトウェアプログラム（メーラ）を起動させる。
【００４２】
次に、Ｓ２１３で、制御部２は、図８に示すように、表示部１５０に、テレビ電話の画面と共にメール作成用画面を表示させる。図８では、表示部１５０に、メイン画面１５０Ａとメール作成用画面１５０Ｘとが、同時に視認可能に表示されている。図９には、メール作成用画面１５０Ｘの一例の詳細を示されている。メール作成用画面１５０Ｘには、電子メール送信の宛先を入力するための欄（図９中の「宛先」と記載された行）と、電子メールのタイトルを入力するための欄（図９中の「タイトル」と記載された行）と、電子メールの本文を入力するための欄（図９中の「本文」と記載された行）と、電子メールの添付ファイルのファイル名を入力するための欄（図９中の「添付」と記載された行）とが表示されている。なお、本実施の形態では、テレビ電話による通話中にシャッタキー１８９が操作されることにより画像データが生成された場合、当該画像データの生成の後に表示されるメール作成用画面１５０では、デフォルトとして、当該生成された画像データが、添付ファイルとされる。つまり、制御部２は、Ｓ２１３でメール作成用画面を表示させるとき、直前のＳ２１０またはＳ２１１で作成し作業用メモリ７に記憶させた画像データのファイル名を呼出して、当該メール作成用画面の添付ファイルのファイル名を入力する欄に予め表示させる。
【００４３】
また、制御部２は、Ｓ２１３で表示させるメール作成用画面では、電子メール送信の宛先を入力する欄に、デフォルトとして、現在のテレビ電話による通話の相手端末のメールアドレスを呼出して表示させる。なお、相手端末のメールアドレスの呼出しは、メモリ２１に記憶されている電話帳データを参照することにより行なわれる。つまり、電話帳データには、電話番号と、メールアドレスとが関連付けられて記憶されており、制御部２は、現在テレビ電話による通話中の相手先の電話番号に関連付けられているメールアドレスを呼出して、当該メールアドレスを、Ｓ２１３で表示させるメール作成用画面における宛先のデフォルト値として表示させる。
【００４４】
次に、Ｓ２１４で、制御部２は、ユーザからのキー操作を受付ける等により、電子メールを作成するための情報（メール作成情報）の入力を受付ける。この場合のメール作成情報とは、電子メール送信の宛先、電子メールのタイトル、電子メールの本文の内容、および、電子メールの添付ファイルのファイル名等である。
【００４５】
次に、Ｓ２１５で、制御部２は、電子メールを送信するための操作がなされたか否かを判断する。電子メールを送信するための操作とは、たとえば、携帯電話機１００において所定のキーに対する操作とすることができる。Ｓ２１５におけるキー操作の一例については後述する。そして、制御部２は、そのような操作があったと判断するとＳ２１６へ、そのような操作がなかったと判断するとＳ２１７へ、それぞれ処理を進める。
【００４６】
Ｓ２１７では、制御部２は、その時点で作成途中の電子メールのデータを保存するための操作がなされたか否かを判断する。そして、制御部２は、そのような操作があったと判断するとＳ２１８へ処理を進め、そのような操作がなかったと判断するとＳ２１４に処理を戻す。
【００４７】
ここで、Ｓ２１５またはＳ２１７において判断対象とされた操作について、その一例を示す。たとえば、図８に示すように、まず、制御部２は、表示部１５０の下方左側に、左オプションキー１８１にアサインされた内容を表示する欄１５０Ｙに「送信」という文字列を表示させ、表示部１５０の下方右側に、右オプションキー１８２にアサインされた内容を表示する欄１５０Ｚに「保存」という文字列を表示させる。そして、このような場合に、Ｓ２１５で判断対象とされた電子メールを送信するための操作として、左オプションキー１８１に対する操作を挙げることができ、また、Ｓ２１７で判断対象とされた電子メールのデータを保存するための操作として、右オプションキー１８２に対する操作を挙げることができる。
【００４８】
Ｓ２１６では、制御部２は、作成中の電子メールの送信を行なって、Ｓ２０３に処理を戻す。
【００４９】
一方、Ｓ２１８では、作成中の電子メールのデータをメモリ２１等所定のメモリに保存させて、Ｓ２０３に処理を戻す。
【００５０】
以上説明した本実施の形態では、テレビ電話の通話中にカメラキー１８３が操作されるとメインカメラ１０４の撮影する画像がサブ画面１５０Ｂ（またはメイン画面１５０Ａ）に表示され、その状態でシャッタキー１８９が操作されると、撮影された画像についての画像データがデフォルトとして添付ファイルとされた電子メールが作成可能な状態とされる。そして、さらに、テレビ電話の通話中に、電子メールを作成し、送信することもできる。
【００５１】
特に、テレビ電話の通話中に作成される電子メールの宛先は、デフォルトとして、テレビ電話の相手端末とされる。したがって、テレビ電話の通話中に、当該通話の相手端末に、メインカメラ１０４で撮影した画像のデータを送信したい場合には、容易な操作で、当該画像のデータを送信することができる。
【００５２】
また、以上説明した本実施の形態では、テレビ電話の通話中にカメラキー１８３およびシャッタキー１８３が操作されて画像データが作成された際には、無条件にメーラが起動され、電子メール作成用画面が表示されたが、本発明はこれに限定されない。メーラの起動および電子メール作成用画面の表示は、ユーザからの特定の操作を待って行なっても良い。つまり、テレビ電話の通話中にカメラキー１８３およびシャッタキー１８３が操作されて画像データが作成されたときには、一端、表示部１５０における表示を図１０に示すようなものとすることができる。
【００５３】
図１０は、第１の筐体１２０の斜視図である。図１０の表示部１５０内には、メイン画面１５０Ａ、サブ画面１５０Ｂ、および、画像表示画面１５０Ｃが表示されている。メイン画面１５０Ａにはテレビ電話画像が表示され、サブ画面１５０Ｂにはメインカメラ１０４が撮影する画像が表示され、画像表示画面１５０Ｃには、テレビ電話による通話中に生成された画像データが表示されている。なお、制御部２は、メイン画面１５０Ａ、サブ画面１５０Ｂ、および、画像表示画面１５０Ｃの表示内容は、上記のＳ２０６の処理において判断対象とされたような画面表示を入替えるための操作がなされることに応じて、入替えても良い。そして、制御部２は、表示部１５０に図１０のような表示を行なわせながらテレビ電話による通話を継続させ、ユーザから、電子メールを作成するための操作がなされたことに応じて、メーラを起動させ、そして、図８に示すようなメール作成用画面を表示させても良い。
【００５４】
また、図１０には、テレビ電話による通話中に、当該通話中に生成された画像データに基づいた表示を１つのみ行なう表示例を示したが、本発明では、図１１に示すように、表示部１５０に、通話中に生成された複数の画像データを同時に表示されても良い。図１１の表示部１５０内には、メイン画面１５０Ａ、サブ画面１５０Ｂ、画像表示画面１５０Ｃ、および、画像表示画面１５０Ｄが表示されている。メイン画面１５０Ａにはテレビ電話画像が表示され、サブ画面１５０Ｂにはメインカメラ１０４が撮影する画像が表示され、画像表示画面１５０Ｃ，１５０Ｄには、テレビ電話による通話中に生成された画像データが表示されている。なお、制御部２は、メイン画面１５０Ａ、サブ画面１５０Ｂ、画像表示画面１５０Ｃ、および、画像表示画面１５０Ｄの表示内容は、上記のＳ２０６の処理において判断対象とされたような画面表示を入替えるための操作がなされることに応じて、入替えても良い。つまり、制御部２は、通話中に生成された画像データを、表示部１５０の大きさ等に基づいて予め定められた上限値に達するまで、複数同時に、テレビ電話の画面とともに、表示部１５０に表示させても良い。そして、電子メールを作成するための操作がなされた場合には、制御部２は、メール作成用画面として、添付ファイルのファイル名として表示部１５０に表示されているすべての画像データのファイル名を記載されたメール作成用画面を表示させる。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５６】
【図１】本発明の端末装置の一実施の形態であるカメラ付携帯電話機の外観が示す図である。
【図２】図１のカメラ付き携帯電話機の制御ブロック図である。
【図３】図２の制御部が実行するメインルーチンのフローチャートである。
【図４】図３のテレビ電話処理のサブルーチンのフローチャートである。
【図５】図３のテレビ電話処理のサブルーチンのフローチャートである。
【図６】図３のテレビ電話処理における処理によって図２のカメラ付き携帯電話機の表示部の表示態様の一例を説明するための図である。
【図７】図３のテレビ電話処理における処理によって図２のカメラ付き携帯電話機の表示部の表示態様の一例を説明するための図である。
【図８】図３のテレビ電話処理における処理によって図２のカメラ付き携帯電話機の表示部の表示態様の一例を説明するための図である。
【図９】図８の電子メール作成用画面の一例を詳細に示す図である。
【図１０】図３のテレビ電話処理における処理によって図２のカメラ付き携帯電話機の表示部の表示態様の一例を説明するための図である。
【図１１】図３のテレビ電話処理における処理によって図２のカメラ付き携帯電話機の表示部の表示態様の一例を説明するための図である。
【符号の説明】
【００５７】
２  制御部、４  作業用メモリ、５  保存処理部、７  保存用メモリ、８  表示用メモリ、１３  通信制御部、１４  無線部、１５  アンテナ、２０  圧縮処理部、２１  メモリ、１００  カメラ付き携帯電話機、１０２  サブカメラ、１０４  メインカメラ、１５０，１５２  表示部、１５０Ａ  メイン画面、１５０Ｂ  サブ画面、１５０Ｃ，１５０Ｄ  画像表示画面、１５０Ｘ  メール作成用画面。
【図１】
2005184366.tif 000003
【図２】
2005184366.tif 000004
【図３】
2005184366.tif 000005
【図４】
2005184366.tif 000006
【図５】
2005184366.tif 000007
【図６】
2005184366.tif 000008
【図７】
2005184366.tif 000009
【図８】
2005184366.tif 000010
【図９】
2005184366.tif 000011
【図１０】
2005184366.tif 000012
【図１１】
2005184366.tif 000013